【手続補正書】
【提出日】平成16年8月30日(2004.8.30)
【手続補正１】
【補正対象書類名】明細書
【補正対象項目名】特許請求の範囲
【補正方法】変更
【補正の内容】
【特許請求の範囲】
【請求項１】
ホストコンピュータに接続され、当該ホストコンピュータとの間で、情報の送受を行なう外部記憶装置であって、１又は２以上のディスク制御装置と、これに支配される複数の論理ボリュームとを有し、これら論理ボリュームの間でペアを作成し、データの複製を行なう機能を有する外部記憶装置の制御方法において、
データを格納する第１の論理ボリュームと、当該第１の論理ボリュームの前記データの複製を格納する第２の論理ボリュームとでペアを構成する第１のステップと、
前記第２の論理ボリュームを前記第１の論理ボリュームと同期させるか否かの情報を伴ったリストア要求を受領する第２のステップと、
前記第１の論理ボリュームに対し前記ホストコンピュータが指定するインタフェースアドレスと、前記第２の論理ボリュームに対し前記ホストコンピュータが指定するインタフェースアドレスとを交換する第３のステップと、
前記リストア要求に従って、前記第１の論理ボリュームと前記第２の論理ボリュームの同期について、実行する第４のステップと、
を有する外部記憶装置の制御方法。
【請求項２】
請求項１に記載の外部記憶装置の制御方法において、
前記第１の論理ボリュームを支配するディスク制御装置と、前記第２の論理ボリュームを支配するディスク制御装置とが互いに異なることを特徴とする外部記憶装置の制御方法。
【請求項３】
請求項１に記載の外部記憶装置の制御方法において、
前記第２のステップは、前記第２の論理ボリュームを前記第１の論理ボリュームと同期させないとの情報を伴ったリストア要求を受領するステップであり、
更に、前記第１の論理ボリュームと前記第２の論理ボリュームの同期を実行する第５のステップを有する外部記憶装置の制御方法。
【請求項４】
ホストコンピュータに接続され、当該ホストコンピュータとの間で、情報の送受を行なう外部記憶装置であって、１又は２以上のディスク制御装置と、これに支配される正副の複数のボリュームとを有し、これら正副のボリュームの間でペアを作成し、データの複製を行なう機能を有する外部記憶装置の制御方法において、
データを格納する正ボリュームと、当該正ボリュームの前記データの複製を格納する副ボリュームとでペアを構成し、前記ペアをペア管理情報でペア毎に管理し、
前記ホストコンピュータから、前記正ボリュームを前記副ボリュームと同期させるか否かの情報を伴ったリストア要求を受領した場合、
前記ディスク制御装置の制御プロセッサは、受領したパラメータの正ボリューム番号と副ボリューム番号とから、リストアの対象となるペアの前記ペア管理情報を見つけ、
前記パラメータのコピー要否フラグにしたがって前記ペア管理情報のコピー要否フラグの設定を行い、
前記リストア処理に当たって、前記正ボリュームと前記副ボリュームの物理アドレスを入れ替え、
次に、前記正ボリュームと前記副ボリュームとの間の同期をとるコピー処理を起動する処理として差分量監視処理を行う場合、
前記ペア管理情報のペア状態を参照し、当該ペアが前記正ボリュームと前記副ボリュームとの間の同期が必要なペア状態かどうかを調べ、
同期をとることが必要なペア状態の場合、前記ペア管理情報の差分量を参照し、コピー処理を起動する閾値を超えているかどうかを調べ、
閾値を超えている場合には、前記ペア管理情報のコピー要否フラグを参照し、リストア要求においてどのように指定されたかを調べ、コピー要否フラグが「
コピー要」の場合には、コピー処理を起動し、コピー要否フラグが「コピー不要」の場合には処理を終了する、
外部記憶装置の制御方法。
【請求項５】
請求項４に記載の外部記憶装置の制御方法において、
前記正ボリュームに対して第１のホストインタフェースアドレスを付し、前記副ボリュームに対して第２のホストインタフェースアドレスを付し、
前記ホストコンピュータから、前記ディスク制御装置にペア形成要求を発行し、
前記ペア形成要求を受領した前記ディスク制御装置は、前記正ボリュームのデータの複製を前記副ボリュームに作成し、
前記正副ボリュームのデータの整合性がとれている時点で、前記ホストコンピュータから前記ディスク制御装置にペア分割要求を発行し、
前記ペア分割要求を受領した前記ディスク制御装置は、前記正ボリュームと前記副ボリュームとで構成されるペアを分割し、前記副ボリュームにバックアップデータを作成し、
前記ホストコンピュータは、前記第１のホストインタフェースアドレスに関係するホストインタフェースアドレスを使って、前記正ボリュームにアクセスする、
外部記憶装置の制御方法。
【請求項６】
請求項４に記載の外部記憶装置の制御方法において、
前記リストア要求の処理後に、前記正ボリュームと前記副ボリュームとの間のデータの同期をとるかどうかを、互いに異なるディスク制御装置にまたがった正ボリュームと副ボリュームとのペアを単位として指定する場合、
前記ホストコンピュータは、前記ディスク制御装置に対して、リストア要求の処理後に前記正ボリュームと前記副ボリュームとの間でデータの同期をとるかど
うかを示すコマンドを発行し、
前記コマンドを受領した前記ディスク制御装置は、そのディスク制御装置の制御メモリに、その情報を格納し、
前記差分量監視処理を行なう場合は、前記情報を参照してコピー処理の起動を行なうか否かを決定し、
前記データの解析を行なうバックアップ/リストア処理を実行する場合、
前記データの整合性がとれている時点で、前記ペアを分割することにより、前記副ボリュームにバックアップデータを作成し、
前記正ボリュームのデータが消去／破壊／改ざんされた場合、
前記ホストコンピュータから「同期不要」のパラメータつきのリストア要求を前記ディスク制御装置に発行し、
前記ディスク制御装置では、リストア処理が実行され、前記正副のボリュームが入れ替わる一方、前記正ボリュームと前記副ボリュームとの間のデータの同期は行われず、
前記リストア処理により、前記正ボリュームの物理アドレスでアクセスするとバックアップデータにアクセスでき、前記副ボリュームの物理アドレスでアクセスすると消去/破壊/改ざんされたデータにアクセスでき、
前記ホストコンピュータは、前記リストア処理を実施後、従来どおりの物理アドレスでデータ処理やホームページの開示を再開し、更に、元の副ボリュームの物理アドレスを使って消去／破壊／改ざんされたデータにアクセスし、当該データの解析などを行ない、
前記制御プロセッサは、前記ホストコンピュータから、同期要求を受領した場合には、前記コピー要否フラグに「コピー要」を設定する、
外部記憶装置の制御方法。
【手続補正２】
【補正対象書類名】明細書
【補正対象項目名】０００５
【補正方法】変更
【補正の内容】
【０００５】
ところが、上記特開２０００−３３９１０４には、上記（１）（２）（３）の要求に応える内容は開示されていない。
そこで、本発明の目的は、上記（１）（２）（３）の要求に応えることができ、データのバックアップに関連する、データ解析機能を飛躍的に増進させることが可能な技術を提供することにある。
【手続補正３】
【補正対象書類名】明細書
【補正対象項目名】０００６
【補正方法】変更
【補正の内容】
【０００６】
【課題を解決するための手段】
すなわち、本発明においては、副ボリュームに正ボリュームのコピーを作成する。
データ処理が終了したときなどデータの整合性が取れているところで正ボリュ
ームと副ボリュームの切り離しを行う。切り離された時点の正ボリュームのデー
タのコピーが、副ボリュームに作成されており、副ボリュームはバックアップデ
ータを保持した形になっている。
ディスク制御装置は、論理ボリュームを、ホストコンピュータとのＩ／Ｆとな
る物理アドレスと、データを格納するための記憶媒体を識別する論理アドレスと
いう２個の制御情報で管理する。
【手続補正４】
【補正対象書類名】明細書
【補正対象項目名】００１１
【補正方法】変更
【補正の内容】
【００１１】
【発明の実施の形態】
図１は、本発明におけるシステム構成図である。
本システムは、ホストコンピュータ１０００とディスク制御装置１００１から構成される。尚、図１では、ディスク制御装置１００１が１つ示されているが、本発明は、ホストコンピュータ１０００との間にスイッチを介在させ、２以上のディスク制御装置１００１とホストコンピュータ１０００とが接続される構成であっても適用できる。
【手続補正５】
【補正対象書類名】明細書
【補正対象項目名】００１２
【補正方法】変更
【補正の内容】
【００１２】
ディスク制御装置１００１は、ホストコンピュータ１０００からの要求を受領し、ディスク制御装置１００１全体を制御する制御プロセッサ１００２と、制御情報を格納する制御メモリ１００３と、論理ボリュームのデータを格納するディスク装置１００６とから構成される。
特に、制御メモリ１００３は、本発明に必要なペア管理情報１００４と、論理ボリューム管理情報１００５とを格納する。
【手続補正６】
【補正対象書類名】明細書
【補正対象項目名】００３３
【補正方法】変更
【補正の内容】
【００３３】
バックアップデータの作成、リストアの実施、データの解析、再同期という一
連の流れをまとめると下記のようになる。最初のステップで、データを格納して
いる論理ボリュームを論理ボリュームａ、バックアップデータを格納する論理ボリュームを論理ボリュームｂとする。